(57)【要約】【課題】傾動式の操作ノブを備えるものにあって、操作ノブの回転操作をも可能として操作の種類を増やす。【解決手段】上ケース３の円形開口部３ａ内に、上面を操作面５ｂとした円環状の操作ノブ５を傾動操作及び回転操作可能に設ける。回路基板７上に、９０度間隔で４個のスイッチ部９を設ける。操作ノブ５と一体的に傾動する傾動操作部材１３の傾動により、プッシャ１２を介して各スイッチ部９を動作させる。制御回路は、スイッチ部９のいずれかからオン信号が入力された場合には、その信号に基づいて、操作ノブ５の操作面５ｂの押圧操作位置を検出（判定）する。制御回路は、スイッチ部９のいずれかがオン動作し、時間経過に伴い、オン動作するスイッチ部９が円周方向に隣り合うものに順次変動していったときに、操作ノブ５が回転操作されたことを判定する。【選択図】図１
2014049291.tif 000002
【特許請求の範囲】
【請求項１】
スイッチケースと、
表面側外周部に操作面を有する円形または円環状をなし、前記スイッチケースに、同軸回転可能且つその回転軸を中心として傾動可能に設けられ、前記操作面が押圧操作されることにより当該押圧操作部分が該スイッチケースの内方に押込まれるように傾動する操作ノブと、
前記スイッチケース内に、前記操作ノブの操作面に対応して複数個が円周方向に並んで設けられ、該スイッチケースに対する該操作ノブの絶対的な押圧操作位置に応じてオン動作するスイッチ素子と、
前記複数個のスイッチ素子のうちオン動作したスイッチ素子の位置から前記操作ノブの前記スイッチケースに対する絶対的な押圧操作位置を判定する第１の判定手段と、
前記複数個のスイッチ素子のうちオン動作したスイッチ素子が時間経過に伴い円周方向に隣り合うものに順次変動したときに、前記操作ノブが回転操作されたことを判定する第２の判定手段とを備えることを特徴とするスイッチ装置。
【請求項２】
前記操作ノブの操作面は、ユーザが指で該操作面を押圧操作して前記いずれかのスイッチ素子がオン動作するまで該操作ノブを傾動させた状態で、該指が滑ることなく前記操作ノブを回転操作できる程度の摩擦力が得られるように構成されていることを特徴とする請求項１記載のスイッチ装置。
【請求項３】
前記操作面の表面の摩擦係数μｓは、ユーザの指により前記操作ノブを回転移動させるために必要な力をＦknob、ユーザの指により前記操作ノブを押圧して前記スイッチ素子をオン動作させるために必要な力をＦonとすると、
μｓ＝Ｆknob／Ｆon
とされていることを特徴とする請求項２記載のスイッチ装置。
【発明の詳細な説明】
【技術分野】
【０００１】
本発明は、押圧操作により傾動する操作ノブを有するスイッチ装置に関する。
【背景技術】
【０００２】
例えば自動車に設けられる電動ドアミラーの角度調整用の操作装置として、上下左右の４方向に操作ノブを傾動させて４個のスイッチ要素を操作する構成の４方向の傾動式のスイッチ装置が知られている（例えば特許文献１参照）。このスイッチ装置は、スイッチケースの開口部の内側に、操作ノブを、中央部を支点にして上下左右の４方向に傾動可能に備えて構成されている。操作ノブは、通常時（操作されていない状態）には中立位置に位置される。操作ノブの表面には、外周部の上下左右の４箇所に操作部が設けられ、各操作部の裏面側には、半球状をなす合計４個の凸部が一体的に設けられている。
【０００３】
そして、スイッチケース内には、４個のスイッチ要素が設けられ、各スイッチ要素のロッドが、凸部の先端に夫々当接している。これにて、例えば、ユーザが、操作ノブのうち右の操作部を押圧して操作ノブを右側に傾動させれば、右側の凸部が右側のスイッチ要素のロッドを押圧して該スイッチ要素をオン動作させるようになっている。
【先行技術文献】
【特許文献】
【０００４】
【特許文献１】特開２００５−３４００１０号公報
【発明の概要】
【発明が解決しようとする課題】
【０００５】
ところで、この種のスイッチ装置においては、操作ノブの操作部を押圧操作して単純に４方向を指示する（４個のいずれかのスイッチ要素をオン・オフする）といった使い方だけでなく、ユーザが、操作ノブの表面外周を押しながら回転操作を行い、その際の複数のスイッチ要素のオン・オフの状態の変動から回転検出（回転方向の検出も含む）ができる構成とすれば、１つのスイッチ装置で、できる操作の種類（数）が増えることになる。
【０００６】
具体例をあげると、例えば自動車の分野では、カーナビゲーション装置の画面表示の指示操作に、この種の傾動式のスイッチ装置を採用することができ、このとき、操作ノブの４方向の傾動操作を地図のスクロール方向の指示に用い、操作ノブの回転操作を、表示態様の変更（縮尺の変更）等の指示に用いるといった使い方をすることが可能となる。このように、この種のスイッチ装置において、押圧操作に加えて、上記のような回転操作を可能とすることができれば、１つのスイッチ装置でできる操作の種類（数）が増え、有用性や便宜性をより高めることが可能となる。
【０００７】
本発明は上記事情に鑑みてなされたもので、その目的は、傾動式の操作ノブを備えるものにあって、操作ノブの回転操作をも可能として操作の種類を増やすことができるスイッチ装置を提供するにある。
【課題を解決するための手段】
【０００８】
本発明のスイッチ装置は、スイッチケースと、表面側外周部に操作面を有する円形または円環状をなし、前記スイッチケースに、同軸回転可能且つその回転軸を中心として傾動可能に設けられ、前記操作面が押圧操作されることにより当該押圧操作部分が該スイッチケースの内方に押込まれるように傾動する操作ノブと、前記スイッチケース内に、前記操作ノブの操作面に対応して複数個が円周方向に並んで設けられ、該スイッチケースに対する該操作ノブの絶対的な押圧操作位置に応じてオン動作するスイッチ素子と、前記複数個のスイッチ素子のうちオン動作したスイッチ素子の位置から前記操作ノブの前記スイッチケースに対する絶対的な押圧操作位置を判定する第１の判定手段と、前記複数個のスイッチ素子のうちオン動作したスイッチ素子が時間経過に伴い円周方向に隣り合うものに順次変動したときに、前記操作ノブが回転操作されたことを判定する第２の判定手段とを備えるところに特徴を有する。
【発明の効果】
【０００９】
本発明のスイッチ装置によれば、操作ノブの操作面のいずれかの位置がユーザによって押圧操作されると、操作ノブが傾動し、その傾動位置に応じたいずれかのスイッチ素子がオン動作する。従って、第１の判定手段により、操作ノブのスイッチケースに対する絶対的な押圧操作位置を判定（検出）することができる。そして、ユーザが、操作ノブの外周を押しながら回転操作を行った場合には、傾動位置の回転方向への移動に伴い、オン動作するスイッチ素子が円周方向に順に変動していくようになる。従って、第２の判定手段により、そのようなスイッチ素子のオン動作位置の変動を検出することに基づいて、操作ノブが回転操作されていること、及びその回転方向を検出することができる。この結果、傾動式の操作ノブにおける回転操作の検出をも可能とすることができる。
【図面の簡単な説明】
【００１０】
【図１】本発明の一実施例を示すもので、スイッチ装置の縦断正面図
【図２】スイッチ装置の斜視図
【図３】スイッチ装置の平面図
【図４】操作面の摩擦係数と各操作力との関係を説明するための図
【図５】電気的構成を概略的に示す図
【発明を実施するための形態】
【００１１】
以下、本発明を具体化した一実施例について、図面を参照しながら説明する。本実施例では、スイッチ装置１は、例えば、自動車のステアリングホイールやセンターコンソール部分に組込まれ、カーナビゲーション装置やカーオーディオ装置、車載電話機等の車載機器２（図５参照）の操作用として設けられている。以下、本実施例に係るスイッチ装置１の構成について述べる。尚、図面においては、便宜上、スイッチ装置１を、操作ノブの表面側を上方に向けた状態で示しており、以下の説明で、上下、左右、前後といった方向をいう場合には、図１等の状態を基準（縦断正面図）とし、操作ノブの操作面が上方から押圧されるものとして説明する。
【００１２】
図１に示すように、スイッチ装置１は、上ケース３と下ケース４とを結合して構成される合成樹脂製のスイッチケースを備えている。図２、図３にも示すように、そのうち上ケース３は、上面部が丸みを帯びたほぼ円筒状をなし、その上面には、中心軸Ｏを中心とした円形開口部３ａが形成されている。前記下ケース４は、前記上ケース３の下面開口部を塞ぐ円板状をなしている。詳しくは後述するが、前記上ケース３の円形開口部３ａ部分に、中央部に円形穴５ａを有する円環状（リング板状）をなす合成樹脂製の操作ノブ５、及び、円形穴５ａ内に押圧操作可能に配置される円板状の押しボタン６が設けられる。尚、押しボタン６の中心を上下方向に延びる仮想的な軸を中心軸Ｏとする。
【００１３】
図１に示すように、前記下ケース４の上面部には、回路基板７が設けられ、この回路基板７の中央部に、センタスイッチ部８が設けられている。更に、回路基板７上には、図３にも示すように、複数個例えば４個のスイッチ素子としてのスイッチ部９が、前後左右に位置して、つまり９０度間隔で円周方向に並んで設けられている。本実施例では、前記センタスイッチ部８並びにスイッチ部９として、周知のラバースイッチが採用されている。詳しく図示はしないが、これらラバースイッチは、円筒キャップ状のラバー１０と、回路基板７側に固定的に設けられた一対の固定接点と、ラバー１０の内面（上部の裏面）に設けられた可動接点とを備えて構成されている。
【００１４】
前記上ケース３内には、前記回路基板７の上方に位置して、ボデー１１が固定的に設けられる。このボデー１１は、中央部に前記センタスイッチ部８に対応して図で上下方向に貫通する貫通孔１１ａを有するリング状に構成されている。このボデー１１の前後左右の４箇所には、前記各スイッチ部９に対応して上下に貫通するプッシャ孔１１ｂ（左右２箇所のみ図示）が形成されている。そして、このボデー１１には、前記各プッシャ孔１１ｂを上下に貫通するようにして、プッシャ１２が夫々上下方向に変位可能に支持されている。これらプッシャ１２は、基端部（下端部）に鍔状の径大部を有する丸棒状に構成され、上端部がボデー１１の上面から突出している。
【００１５】
これにて、各プッシャ１２が上方からの押圧力を受けて下方に変位すると、前記スイッチ部９のラバー１０が下方へ押圧され、該ラバー１０がつぶれる方向に弾性的に変形して各スイッチ部９がオン動作する。また、プッシャ１１の押圧操作力が解除されると、ラバー１０が自らの復元力により元の状態に復帰してスイッチ部９がオフすると共に、プッシャ１２を上方に変位させて元の位置に戻すようになっている。
【００１６】
尚、図１及び図３等に示すように、４つのスイッチ部９を区別する場合には、符号９の後に、上から見て時計回り方向に順に（Ａ）、（Ｂ）、（Ｃ）、（Ｄ）を付して区別することとする。即ち、ここでは、正面から見て、左側のものがスイッチ部９（Ａ）、後部のものがスイッチ部９（Ｂ）、右側のものがスイッチ部９（Ｃ）、手前のものがスイッチ部９（Ｄ）とされている。また、同様に、４本のプッシャ１２を区別する場合にも、符号１２の後に、（Ａ）、（Ｂ）、（Ｃ）、（Ｄ）を付して区別することとする。
【００１７】
図１に示すように、前記上ケース３内には、前記ボデー１１の上部に位置して、傾動操作部材１３が設けられている。この傾動操作部材１３は、前記ボデー１１の貫通孔１１ａの上部に上方から差込まれた形態とされる中央部の円筒部１３ａと、その円筒部１３ａの上端から外周方向に延びるリング板部１３ｂとを一体に有して構成されている。リング板部１３ｂの下面部には、前記各プッシャ１２の上端に載置状に当接する押圧部１３ｃが設けられている。このとき、前記円筒部１３ａの外周には、揺動部材１４が嵌合固定され、この揺動部材１４が、前記ボデー１１の貫通孔１１ａの内壁面上端部に設けられた支持部１５に揺動可能に支持されている。これにて、傾動操作部材１３は、中心軸Ｏを中心として全周方向に傾動可能に支持されている。
【００１８】
前記傾動操作部材１３の円筒部１３ａ内には、軸部材１６が上下動可能に挿入支持されている。この軸部材１６は、円筒部１３ａから上方に突出し、その上端部に前記押しボタン６が取付けられている。この軸部材１６の下端部には、円筒部１３ａから下方に突出し下端部が球面状をなすガイド軸部１６ａが設けられている。そして、この軸部材１６（ガイド軸部１６ａ）と前記センタスイッチ部８との間には、伝達部材１７が設けられている。この伝達部材１７は、厚みをもった円板状をなすと共に、その上面には、前記ガイド軸部１６ａを受ける凹状の曲面部１７ａが設けられている。伝達部材１７の下面が前記センタスイッチ部８のラバー１０上に配置されている。
【００１９】
これにて、押しボタン６が押圧操作されて軸部材１６が傾動操作部材１３の円筒部１３ａ内を下方に変位すると、伝達部材１７を介してセンタスイッチ部８のラバー１０が下方へ押圧され、該ラバー１０がつぶれる方向に弾性的に変形してセンタスイッチ部８がオン動作する。また、押しボタン６の押圧操作力が解除されると、ラバー１０が自らの復元力により元の状態に復帰してセンタスイッチ部８がオフすると共に、軸部材１６を上方に変位させて元の位置に戻すようになっている。
【００２０】
尚、このとき、前記傾動操作部材１３が後述するように傾動操作された際には、円筒部１３ａが中心軸Ｏから傾動し、軸部材１６（及び押しボタン６）が傾動操作部材１３と一体的に傾動する。ところが、軸部材１６のガイド軸部１６ａの先端が、伝達部材１７の曲面部１７ａで受けられているため、軸部材１６の傾動状態でも、押しボタン６が操作されることにより、センタスイッチ部８がオン・オフ動作するようになっている。
【００２１】
そして、図１に示すように、前記操作ノブ５は、上記したように円環状の薄板状をなし、その表面側外周部である上面全域が、ユーザが手の指Ｔ（図４参照）にて任意の位置を押圧操作可能な操作面５ｂとされる。この操作ノブ５は、前記傾動操作部材１３のリング板部１３ｂの上面に載置状とされ、前記上ケース３の円形開口部３ａの内周部に配置され該リング板部１３ｂの外周部に連結されるリング部材１８により、上方への抜止め状態に設けられる。
【００２２】
これにて、通常時（ユーザによる押圧操作が無い状態）では、操作ノブ５は、図１に示す中立位置（図でほぼ水平な状態）に保持され、操作面５ｂのいずれかが押圧操作されることにより、上ケース３の内方に押込まれるようにして、傾動操作部材１３と一体に傾動するようになっている。このとき、傾動操作部材１３のリング板部１３ｂの傾動によって、押圧操作位置に応じたいずれかのプッシャ１２が上方からの押圧力を受けて下方に変位し、スイッチ部９を動作させるようになっている。これと共に、操作ノブ５は、リング板部１３ｂの上面を摺動することにより、傾動操作部材１３に対し前記中心軸Ｏを中心として回転操作（同軸回転）が可能に設けられている。
【００２３】
ここで、図５は、上記スイッチ装置１部分の電気的構成を概略的に示している。ここで、スイッチ装置１のセンタスイッチ部８及び４個のスイッチ部９（Ａ）〜９（Ｄ）のオン動作信号が、ＣＰＵ（コンピュータ）を主体として構成される制御回路１９の５個の入力端子に夫々入力されるようになっている。そして、制御回路１９は、センタスイッチ部８及びスイッチ部９（Ａ）〜９（Ｄ）からの入力信号に応じて、車載機器２（例えば、カーナビゲーションシステムの表示装置の表示画面）を制御するようになっている。
【００２４】
このとき、本実施例では、スイッチ装置１に対し、ユーザは、操作ノブ５の操作面５ｂの円周方向のいずれかの位置（例えば前後左右及び斜めの８方向のいずれか）を下方に押圧して傾動させる押圧操作を行うことができる。更に、それに加えて、ユーザは、操作ノブ５の回転操作を行うことができる。この回転操作とは、操作ノブ５の操作面５ｂの任意の位置を指Ｔで押圧して、その押圧操作力を加えたままで、傾動操作部材１３に対して操作ノブ５を回転方向に摺動させていく操作である。右回り（時計回り）方向、左回り（反時計回り）方向の両方の回転操作が可能である。
【００２５】
前記制御回路１９は、センタスイッチ部８及びスイッチ部９（Ａ）〜９（Ｄ）からの入力信号を常に監視する。そして、スイッチ部９（Ａ）〜９（Ｄ）のいずれかからオン信号が入力された場合には、操作ノブ５の押圧操作がなされたと判断する。この場合、１個のスイッチ部９からオン信号が入力される、又は隣り合う２個のスイッチ部９から同時にオン信号が入力された場合には、その信号に基づいて、操作ノブ５の操作面５ｂの上ケース３に対する絶対的な押圧操作位置（例えば前後左右及び斜めの８方向）を検出（判定）する。
【００２６】
具体例をあげると、ユーザが上ケース３に対し、操作ノブ５の操作面５ｂの左側部位を押圧操作すると、左側のスイッチ部９（Ａ）がオン動作するので、押圧操作位置が左であると判定できる。また、ユーザが上ケース３に対し、操作ノブ５の操作面５ｂの右斜め後方部位を押圧操作すると、後部のスイッチ部９（Ｂ）と右側のスイッチ部９（Ｃ）とが同時にオン動作するので、押圧操作位置が右後部であると判定できる。
【００２７】
更に、制御回路１９は、スイッチ部９のいずれかがオン動作した後に、時間経過に伴い、オン動作するスイッチ部９が円周方向に隣り合うものに順次変動していったときに、操作ノブ５が回転操作されたこと（回転方向及び回転操作量）を判定する。この場合、制御回路１９は、スイッチ部９（Ａ）、９（Ｂ）、９（Ｃ）、９（Ｄ）、９（Ａ）の順にオン動作した場合（間に隣り合う２個のスイッチ部９が同時にオンする期間を含む）には、右回り（時計回り）方向と判断する。また、スイッチ部９（Ａ）、９（Ｄ）、９（Ｃ）、９（Ｂ）、９（Ａ）の順にオン動作した場合（間に隣り合う２個のスイッチ部９が同時にオンする期間を含む）には、左回り（反時計回り）方向と判断する。
【００２８】
従って、前記制御回路１９が、第１の判定手段として機能すると共に、第２の判定手段として機能する。尚、ユーザが押しボタン６を押圧操作するとセンタスイッチ部８がオン動作することは勿論である。この押しボタン６は、操作ノブ５（傾動操作部材１３）が傾動している場合でもオン操作できる。制御回路１９は、センタスイッチ部８がオン動作した場合に、押しボタン６が押圧操作されたと判断する。この押しボタン６は、例えば「決定」キーとして機能させることができる。
【００２９】
さて、本実施例では、前記操作ノブ５の操作面５ｂは、ユーザが指Ｔで該操作面５ｂを押圧操作していずれかのスイッチ部９がオン動作するまで該操作ノブ５（傾動操作部材１３）を傾動させた状態で、該指Ｔが滑ることなく前記操作ノブ５を回転操作できる程度の摩擦力が得られるように構成されている。
【００３０】
より具体的には、図４に示すように、前記操作ノブ５の操作面５ｂの表面の摩擦係数をμｓ、ユーザの指Ｔによる操作ノブ５の押圧方向の力をＦ１、指Ｔによる操作ノブ５の回転方向の力をＦ２、前記操作ノブ５を回転移動させるために必要な力をＦknob、操作ノブ５を押圧して前記スイッチ部９をオン動作させるために必要な力をＦonとすると、以下の式が成立する。
【００３１】
即ち、指Ｔが操作面５ｂ上を滑らない条件は、
μｓ・Ｆ１＞Ｆ２      ‥（１）
となり、操作ノブ５が回転する条件は、
Ｆ２＞Ｆknob          ‥（２）
となる。また、スイッチ部９がオン動作する条件は、
Ｆ１＝Ｆon            ‥（３）
である。
【００３２】
上記（１）、（２）式より、指Ｔが滑らずに操作ノブ５が回転する条件は、
μｓ・Ｆ１＞Ｆknob
μｓ＞Ｆknob／Ｆ１    ‥（４）
となる。従って、（３）、（４）式より、操作面５ｂ表面の摩擦係数μｓは、
μｓ＝Ｆknob／Ｆon    ‥（５）
とされているのである。尚、この摩擦係数μｓを得るためには、操作ノブ５自体の材料の選定、操作面５ｂに対する所定の滑り性を得るための塗料の塗布、操作面５ｂの凹凸形状の設定など、様々な手法を採用することが可能である。
【００３３】
上記構成のスイッチ装置１においては、ユーザにより操作ノブ５の操作面５ｂのいずれかの位置（上ケース３に対する前後左右並びに斜めの８方向のいずれか）が押圧操作されると、操作ノブ５ひいては傾動操作部材１３が中立位置から上ケース３に対して傾動し、リング板部１３ｂの下面部の押圧部１３ｃがいずれかのプッシャ１２を下方に押圧して対応するスイッチ部９をオン動作させる。この結果、スイッチ部９のオン動作信号が制御回路１９に入力され、制御回路１９は、上ケース３に対する絶対的な押圧操作位置を判定（検出）し、それに基づいて車載機器２（例えばカーナビゲーションシステムの表示装置）を制御する。ユーザが操作ノブ５に対する押圧操作力を解除すると、操作ノブ５が中立位置に戻り、スイッチ部９がオフされる。
【００３４】
そして、上記したように、本実施例のスイッチ装置１では、ユーザが、操作ノブ５の操作面５ｂを押しながら、該操作ノブ５を上ケース３に対して回転させる回転操作を行うことができる。この場合には、制御回路１９に、スイッチ部９からのオン動作信号が、回転方向に応じて順次入力されるので、制御回路１９は、操作ノブ５が回転操作されていること、及びその回転方向を検出（判定）することができ、それに応じて車載機器２を制御することができる。尚、ユーザが、押しボタン６を押圧操作すると、センタスイッチ部８がオン動作してその信号が制御回路１９に入力されるので、制御回路１９は、押しボタン６が押圧操作されたことを判断することができる。
【００３５】
上記構成のスイッチ装置１の使用の一具体例をあげると、例えば、カーナビゲーションシステム（表示装置）の地図表示画面において、操作ノブ５の押圧操作位置によって表示地図のスクロール方向（８方向のいずれか）を指示し、操作ノブ５の回転操作によって縮尺の変更（回転方向に応じて拡大、縮小）を指示するといった使い方をしたり、或いは、目的地等の項目選択画面において、操作ノブ５の押圧操作位置によって項目選択用のカーソルの移動方向を指示し、操作ノブ５の回転操作によってページスクロール（回転方向に応じて送り、戻り）指示するといった使い方をしたりすることができる。
【００３６】
このように本実施例によれば、傾動式の操作ノブ５を備えるスイッチ装置１にあって、操作ノブ５の操作面５ｂの押圧操作位置の検出（判定）に加えて、操作ノブ５の回転操作をも検出可能とすることができた。従って、１つのスイッチ装置１において検出可能な操作の種類（数）を増やすという要望に応えることができ、ひいては、有用性や便宜性をより高めることができるという優れた効果を得ることができる。
【００３７】
ところで、上記構成のスイッチ装置１にあって、操作ノブ５の回転検出を行うためには、スイッチ部９がオン動作する程度の力で、操作面５ｂを押圧操作して傾動させ、そのままの押圧状態で、操作面５ｂを指Ｔが滑ることなく操作ノブ５を回転させる必要がある。つまり、操作面５ｂの摩擦係数が大きすぎて、いずれのスイッチ部９もオン動作していない状態（傾動していない状態）で操作ノブ５を回転させても意味がなく、また、操作面５ｂの摩擦係数が小さすぎて操作面５ｂで指Ｔが滑って空回りしてしまってもいけない。よって、操作面５ｂを指Ｔで少し押した状態で、滑らずに操作ノブ５を回転操作できることが望ましい。
【００３８】
本実施例では、操作ノブ５の操作面５ｂの摩擦係数μｓの設定により、ユーザが指Ｔで該操作面５ｂを押圧操作していずれかのスイッチ部９がオン動作するまで該操作ノブ５（傾動操作部材１３）を傾動させた状態で、該指Ｔが滑ることなく前記操作ノブ５を回転操作できる。この結果、ユーザは操作ノブ５の回転操作を確実に行うことができ、制御回路１９が誤検出することなく回転操作を判定することができる。
【００３９】
尚、上記実施例では、操作ノブ５を円環状に設けて、その中心部に押しボタン６を設ける構成としたが、押しボタン６及びセンタスイッチ部８を省略した構成としても良い。この場合、円形（円板状）の操作ノブを採用し、その表面の外周寄り部分を押圧操作して操作ノブを傾動させる構成とすることもできる。また、上記実施例では、４個のスイッチ部９を設ける構成としたが、スイッチ素子を、３個或いは５個以上設けるように構成しても良い。
【００４０】
その他、上下のケース（スイッチケース）の形状や、操作ノブ、操作面の形状、操作ノブの支持構造、スイッチ素子の構成（ラバースイッチ以外のスイッチ素子の採用）等の具体的構造についても、様々な変形が可能である。また、上記実施例では、本発明のスイッチ装置を自動車のナビゲーションシステム等の車載機器の操作用に適用したが、それ以外にも各種の用途に適用することが可能である等、本発明は要旨を逸脱しない範囲内で適宜変更して実施し得るものである。
【符号の説明】
【００４１】
図面中、１はスイッチ装置、３は上ケース（スイッチケース）、５は操作ノブ、５ｂは操作面、６は押しボタン、７は伝達部、８はセンタスイッチ部、９はスイッチ部（スイッチ素子）、１２はプッシャ、１３は傾動操作部材、１９は制御回路（第１の判定手段、第２の判定手段）を示す。
【図１】
2014049291.tif 000003
【図２】
2014049291.tif 000004
【図３】
2014049291.tif 000005
【図４】
2014049291.tif 000006
【図５】
2014049291.tif 000007